(57)【特許請求の範囲】
【請求項１】
テープ設置用ホルダを用いて設置される被印字テープに対する印字手段の印字内容を編集可能なタグラベル編集装置であって、
前記テープ設置用ホルダを用いて設置される前記被印字テープ又はこれに貼り合されるテープのテープ属性パラメータ情報を、前記被印字テープ又はこれに貼り合されるテープに対応して設けられた前記テープ属性パラメータ情報を含む識別子を機械的又は光学的に検出した結果に基づき前記識別子より取得するパラメータ情報取得手段と、
このパラメータ情報取得手段で取得した前記テープ属性パラメータ情報に応じ、前記印字手段の印字内容に関して複数組設定され予め記憶手段に格納保持された設定因子群の中から、対応する少なくとも１組の設定因子群を表示手段に表示させるための因子群表示制御信号を表示手段に出力する因子群表示制御信号出力手段とを有し、
前記因子群表示制御信号出力手段は、前記テープ属性パラメータ情報として、少なくとも前記テープ設置用ホルダを用いて設置される前記被印字テープ又はこれに貼り合わされるテープに、情報を記憶するＩＣ回路部とこのＩＣ回路部に接続されたタグ側アンテナとを備えた無線タグ回路素子を配置したタグテープが用いられるかどうかに応じて、異なる前記設定因子群を前記表示手段に表示させるための前記因子群表示制御信号を出力する
ことを特徴とするタグラベル編集装置。
【請求項２】
請求項１記載のタグラベル編集装置において、
前記パラメータ情報取得手段で取得した前記テープ属性パラメータ情報に基づき、前記テープ設置用ホルダを用いて設置される前記被印字テープ又はこれに貼り合されるテープに前記タグテープが用いられる場合に、前記被印字テープ又はこれに貼り合わされるテープに前記タグテープが用いられない場合に対応して予め記憶手段に格納保持された基本設定因子群に含まれる少なくとも１つの設定因子を、前記被印字テープ又はこれに貼り合わされるテープに前記タグテープが用いられる場合に対応して予め記憶手段に格納保持された前記設定因子群のうち、前記基本設定因子群と同じテープ幅のものに含まれる対応する別の設定因子に置換することにより、前記被印字テープ又はこれに貼り合されるテープに前記タグテープが用いられる場合の前記設定因子群を合成する置換合成手段を有し、
前記因子群表示制御信号出力手段は、前記置換合成手段により合成された前記設定因子群を前記表示手段に表示させるための前記因子群表示制御信号を出力することを特徴とするタグラベル編集装置。
【請求項３】
請求項１又は２記載のタグラベル編集装置において、
前記パラメータ情報取得手段は、前記テープ設置用ホルダを用いて前記タグテープが設置されたときに、前記テープ属性パラメータ情報として、前記タグテープにおける無線タグ回路素子配置間隔、前記タグテープの幅、前記無線タグ回路素子のＩＣ回路部及び前記タグ側アンテナの通信感度、周波数、通信可能距離、前記ＩＣ回路部のメモリ容量、前記ＩＣ回路部のプロトコル種別のうち少なくとも１つを含むデータを取得し、
前記因子群表示制御信号出力手段は、前記パラメータ情報取得手段で取得した前記テープ属性パラメータ情報に応じて、異なる前記設定因子群を前記表示手段に表示させるための前記因子群表示制御信号を出力することを特徴とするタグラベル編集装置。
【請求項４】
請求項３記載のタグラベル編集装置において、
前記因子群表示制御信号出力手段は、前記タグテープにおける無線タグ回路素子配置間隔に応じて、異なる前記設定因子群を前記表示手段に表示させるための前記因子群表示制御信号を出力することを特徴とするタグラベル編集装置。
【請求項５】
請求項１乃至４のいずれか１項記載のタグラベル編集装置において、
前記因子群表示制御信号出力手段が出力した前記因子群表示制御信号により前記表示手段に表示された前記設定因子群と、当該設定因子群の別候補として予め関係づけられて前記記憶手段に記憶された少なくとも１つの前記設定因子群とからなる複数の設定因子群のそれぞれに対し、置き換え可能な領域に所定のデータを挿入して作成した印字データに基づき作成される複数のラベルの複数の印字イメージを、互いに比較可能に前記表示手段に表示させるためのイメージ表示制御信号を出力するイメージ表示制御信号出力手段を有することを特徴とするタグラベル編集装置。
【請求項６】
請求項５記載のタグラベル編集装置において、
前記イメージ表示制御信号出力手段は、前記パラメータ情報取得手段で取得した前記テープ属性パラメータ情報に対応した前記設定因子群の前記置き換え可能な領域に所定のデータを挿入して作成した印字データに基づき作成された前記印字イメージと、前記テープ属性パラメータ情報に対応した前記設定因子群の前記別候補としての前記テープ属性パラメータ情報に対応しない前記設定因子群の前記置き換え可能な領域に所定のデータを挿入して作成した印字データに基づき作成された前記印字イメージとを、比較可能に前記表示手段に表示させるための前記イメージ表示制御信号を出力し、
そのイメージ表示制御信号に基づく前記表示手段の表示に対応して、前記対応しない前記印字イメージによる印字を選択する選択操作手段の操作に基づく信号が入力された場合、当該信号に対応した印字を印字手段で行うための印字制御信号を出力する印字制御信号出力手段を設けたことを特徴とするタグラベル編集装置。
【請求項７】
請求項６記載のタグラベル編集装置において、
前記表示手段の表示に対応して、前記対応しない前記印字イメージによる印字を選択する前記選択操作手段の操作に基づく信号が入力された場合、これに対応する報知を行う報知手段に報知制御信号を出力する報知制御信号出力手段を有することを特徴とするタグラベル編集装置。
【請求項８】
請求項１乃至７のいずれか１項記載のタグラベル編集装置において、
前記因子群表示制御信号出力手段からの前記因子群表示制御信号に応じて前記表示手段に表示された前記設定因子群に含まれる少なくとも１つの設定因子を変更する編集操作手段の操作に基づく信号が入力された場合、前記因子群表示制御信号出力手段は、当該少なくとも１つの設定因子を当該操作に対応して変更し前記表示手段に表示させるための前記因子群表示制御信号を出力することを特徴とするタグラベル編集装置。
【請求項９】
請求項８記載のタグラベル編集装置において、
前記因子群表示制御信号出力手段は、
前記設定因子群に含まれる少なくとも１つの設定因子を変更する前記編集操作手段の操作に基づく信号が入力されるに先立ち、前記パラメータ情報取得手段で取得した前記テープ属性パラメータ情報に対応し、前記少なくとも１つの設定因子の変更範囲の制限を前記表示手段に表示させるための前記因子群表示制御信号を出力することを特徴とするタグラベル編集装置。
【請求項１０】
請求項１乃至９のいずれか１項記載のタグラベル編集装置において、
前記テープ設置用ホルダ及び前記印字手段を備えたタグラベル作成装置の外部に設けられ当該タグラベル作成装置に通信回線を介して接続され、前記表示手段を備えて構成されたことを特徴とするタグラベル編集装置。
【請求項１１】
被印字テープを設置するためのテープ設置用ホルダと、
前記被印字テープ又はこれに張り合わせるテープに備えられた無線タグ回路素子のＩＣ回路部との間で無線通信により情報の送受信を行う装置側アンテナと、
前記無線タグ回路素子の前記ＩＣ回路部へのアクセス情報を生成し、前記装置側アンテナを介して非接触で前記無線タグ回路素子に送信し、前記ＩＣ回路部へのアクセスを行う情報アクセス手段と、
前記被印字テープに印字を行う印字手段と、
前記テープ設置用ホルダを用いて設置される前記被印字テープ又はこれに貼り合されるテープのテープ属性パラメータ情報を、前記被印字テープ又はこれに貼り合されるテープに対応して設けられた前記テープ属性パラメータ情報を含む識別子を機械的又は光学的に検出した結果に基づき前記識別子より検出するパラメータ情報検出手段と、
このパラメータ情報検出手段で検出したテープ属性パラメータ情報として、少なくとも前記テープ設置用ホルダを用いて設置される前記被印字テープ又はこれに貼り合わされるテープに、前記無線タグ回路素子を配置したタグテープが用いられるかどうかに応じ、前記印字手段の印字内容に関して複数組設定され予め記憶手段に格納保持された設定因子群の中から、異なる設定因子群を表示する表示手段と、
この表示手段に表示された前記少なくとも１組の設定因子群に対応した、印字手段による印字に関する指示データを入力するデータ入力手段と、
このデータ入力手段で入力した前記印字に関する指示データに基づき、前記印字手段を制御する印字制御手段とを有することを特徴とするタグラベル作成装置。
【請求項１２】
請求項１１記載のタグラベル作成装置において、
前記表示手段に表示された前記少なくとも１組の設定因子群のうち前記置き換え可能な領域に挿入される、前記印字に関する指示データを生成するために操作者が操作可能な操作手段を有することを特徴とするタグラベル作成装置。
【請求項１３】
請求項１１又は１２記載のタグラベル作成装置において、
前記テープ設置用ホルダは、前記被印字テープ又はこれに貼り合わせるテープを巻回したテープロールを収納したテープカートリッジを着脱可能なカートリッジホルダであり、前記テープ属性パラメータ情報を含む前記識別子は、前記テープカートリッジに備えられていることを特徴とするタグラベル作成装置。
【請求項１４】
請求項１３記載のタグラベル作成装置において、
前記パラメータ情報検出手段は、前記テープカートリッジに備えられた前記識別子を検出する識別子検出手段であることを特徴とするタグラベル作成装置。
【請求項１５】
請求項１４記載のタグラベル作成装置において、
前記識別子検出手段は、前記識別子として前記テープカートリッジの種別情報を検出するカートリッジ種別検出手段であることを特徴とするタグラベル作成装置。
【請求項１６】
請求項１１乃至１５のいずれか１項記載のタグラベル作成装置において、
前記データ入力手段は、前記指示データとして、前記印字手段で印字するテキストデータを入力することを特徴とするタグラベル作成装置。
【発明の詳細な説明】
【技術分野】
【０００１】
本発明は、外部より無線通信を介し読み取り又は書き込みを行える無線タグラベルを作成するのに用いるタグラベル編集装置及びタグラベル作成装置に関する。
【背景技術】
【０００２】
従来、予め定められたフォーマットに従って印字を行い印刷物（書類）を完成させる際の、操作者の便宜を図る技術として、例えば特許文献１に記載のものが知られている。
【０００３】
この従来技術では、印字内容に関する種々の設定因子を１つの設定因子群（テンプレート）として予め用意しておき、そのテンプレートにテキストデータ（文章等）を追加入力するだけで、容易に所定の書類を完成できるようにしたものである。
【０００４】
【特許文献１】特開平９−２３１２０５号公報
【発明の開示】
【発明が解決しようとする課題】
【０００５】
一方、近年、小型の無線タグとリーダ（読み取り装置）／ライタ（書き込み装置）との間で非接触で情報の読み取り／書き込みを行うＲＦＩＤ（Radio Frequency Identification）システムが提唱されている。無線タグに備えられる無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、人の胸部に着用する名札や、資産管理や、オフィスでの文書管理等、様々な分野において実用化されつつある。
【０００６】
このように種々の利用法がある無線タグは、通常、ラベル状の素材上に上記無線タグ回路素子を設けて形成され、このタグラベルが例えば各種書類・物品の分類・整理のために対象物品等に貼り付けられることが多い。このとき、内部に記憶された無線タグ情報とは別に、その無線タグ情報に関連した情報をラベルに印字しておくようにすれば、ユーザ側から上記関連情報をラベル上で視認でき何かと便利である。
【０００７】
このような印字付きの無線タグラベルを作成する場合、例えば、所定間隔でテープ長手方向に無線タグ回路素子を設けた帯状のタグテープを備えた着脱可能なカートリッジをタグラベル作成装置側に装着し、カートリッジからタグテープを繰り出すことで各無線タグ回路素子を順次搬送する。そして、この搬送の際に、各無線タグ回路素子のアンテナに対し、装置側で生成した所定の無線タグ情報を装置側アンテナを介して送信し、無線タグ回路素子のアンテナに接続されたＩＣ回路部の無線タグ情報に順次アクセス（読み取り又は書き込む）し、さらに印字手段で上記タグテープに対し所定の印字を行い、無線タグラベルが完成する。
【０００８】
上記のようにタグテープに所定の印字を行う場合、どのようなフォーマットの印字を行うかその印字内容を操作者が操作入力する必要がある。そこで、タグラベル作成におけるこの印字データ入力時に上記従来技術の手法を適用し、印字内容に関する種々の設定因子を１つの設定因子群（テンプレート）として予め用意しておき、そのテンプレートにテキストデータ（単語や文章等）を追加入力することでタグテープへの印字内容を決定することが考えられる。
【０００９】
ところで、近年、前述したような無線タグラベルの実用化の進展により、多種多様な態様の無線タグラベルのニーズが増大しているが、例えば作成する無線タグラベルの幅や長さ等を変えたい場合には、上記カートリッジごとタグテープをその都度交換する必要がある。
【００１０】
前述のように上記従来技術をタグラベル作成装置に適用した場合、１種類の印字付き無線タグラベルの作成についてはそのテンプレートを用いることで最適な印字態様を実現することができても、上記のように種々の印字付き無線タグラベルを作成するためにタグテープ（カートリッジ）を交換した場合は当該テンプレートでは十分に対応できず、結局、上記の印字内容に関する設定因子を別途設定しなおさなければならない。
【００１１】
以上のように、上記従来技術を無線タグラベルの作成に適用した場合、種々の態様の所望のラベルを作成するためにタグテープを交換したときには、最適な印字を実現するためにその都度面倒な設定操作が必要であり、操作者の利便性が低かった。
【００１２】
本発明の目的は、面倒な設定操作を行うことなく、種々の態様のラベルに対応した最適な印字を容易に行うことができるタグラベル編集装置及びタグラベル作成装置を提供することにある。
【課題を解決するための手段】
【００１３】
上記目的を達成するために、第１の発明は、テープ設置用ホルダを用いて設置される被印字テープに対する印字手段の印字内容を編集可能なタグラベル編集装置であって、前記テープ設置用ホルダを用いて設置される前記被印字テープ又はこれに貼り合されるテープのテープ属性パラメータ情報を、前記被印字テープ又はこれに貼り合されるテープに対応して設けられた前記テープ属性パラメータ情報を含む識別子を機械的又は光学的に検出した結果に基づき前記識別子より取得するパラメータ情報取得手段と、このパラメータ情報取得手段で取得した前記テープ属性パラメータ情報に応じ、前記印字手段の印字内容に関して複数組設定され予め記憶手段に格納保持された設定因子群の中から、対応する少なくとも１組の設定因子群を表示手段に表示させるための因子群表示制御信号を表示手段に出力する因子群表示制御信号出力手段とを有し、前記因子群表示制御信号出力手段は、前記テープ属性パラメータ情報として、少なくとも前記テープ設置用ホルダを用いて設置される前記被印字テープ又はこれに貼り合わされるテープに、情報を記憶するＩＣ回路部とこのＩＣ回路部に接続されたタグ側アンテナとを備えた無線タグ回路素子を配置したタグテープが用いられるかどうかに応じて、異なる前記設定因子群を前記表示手段に表示させるための前記因子群表示制御信号を出力することを特徴とする。
【００１４】
本願第１発明においては、テープ設置用ホルダを用いて被印字テープが設置されると、その被印字テープ又はこれに貼り合わされるテープのテープ属性パラメータ情報がパラメータ情報取得手段で取得され、そのテープ属性パラメータ情報に応じて因子群表示制御信号出力手段から因子群表示制御信号が出力されることで、表示手段に、印字手段の印字内容に関して複数組設定された設定因子群の中から、対応する少なくとも１組の設定因子群が表示される。これにより、多種多様なニーズに応じて操作者がどのような被印字テープをテープ設置用ホルダに設置したとしても、それに応じてそのテープに対して最適な印字に関する設定因子群（＝テンプレート）を自動的に関連付けて表示することが可能となる。この結果、面倒な設定操作を行うことなく、容易に所望のラベルに対する最適な印字を行ってラベルを作成することができ、利便性を向上することができる。
また、テープ設置用ホルダを用いて設置されたテープがタグテープであるかどうかによって設定因子群を異ならせることにより、ニーズに応じて操作者がタグテープを設置した場合でもタグのない通常のテープを設置した場合でも、それぞれに応じて最適な設定因子群（＝テンプレート）を自動的に関連付けて表示することが可能となる。この結果、面倒な設定操作を行うことなく、容易に無線タグラベル又はタグのない通常のラベルを同一装置で切り替えて作成することができ、さらに利便性を向上することができる。
【００１５】
第２発明は、上記第１発明において、前記パラメータ情報取得手段で取得した前記テープ属性パラメータ情報に基づき、前記テープ設置用ホルダを用いて設置される前記被印字テープ又はこれに貼り合されるテープに前記タグテープが用いられる場合に、前記被印字テープ又はこれに貼り合わされるテープに前記タグテープが用いられない場合に対応して予め記憶手段に格納保持された基本設定因子群に含まれる少なくとも１つの設定因子を、前記被印字テープ又はこれに貼り合わされるテープに前記タグテープが用いられる場合に対応して予め記憶手段に格納保持された前記設定因子群のうち、前記基本設定因子群と同じテープ幅のものに含まれる対応する別の設定因子に置換することにより、前記被印字テープ又はこれに貼り合されるテープに前記タグテープが用いられる場合の前記設定因子群を合成する置換合成手段を有し、前記因子群表示制御信号出力手段は、前記置換合成手段により合成された前記設定因子群を前記表示手段に表示させるための前記因子群表示制御信号を出力することを特徴とする。
【００１６】
テープ設置用ホルダを用いて設置される被印字テープに応じて種々の設定因子群を表示手段に表示するにあたり、各設定因子群ごとにすべての設定因子をデータとして記憶手段に記憶すると、記憶手段に必要となる記憶容量が膨大となる。本願第２発明においては、基本設定因子群を予め格納保持するとともに、それ以外の設定因子群を表示手段に表示させる場合については、置換合成手段で、基本設定因子群に含まれる少なくとも１つの設定因子を、被印字テープ又はこれに貼り合わされるテープにタグテープが用いられる場合に対応して予め記憶手段に格納保持された設定因子群のうち、基本設定因子群と同じテープ幅のものに含まれる別の設定因子に置き換えることで対応する設定因子群の表示を実現するようにする。これにより、基本設定因子群以外の設定因子群の表示について必要なデータ量を低減することができ、結果として記憶手段に必要な記憶容量を大幅に低減することができる。
【００１９】
第３発明は、上記第１又は第２発明において、前記パラメータ情報取得手段は、前記テープ設置用ホルダを用いて前記タグテープが設置されたときに、前記テープ属性パラメータ情報として、前記タグテープにおける無線タグ回路素子配置間隔、前記タグテープの幅、前記無線タグ回路素子のＩＣ回路部及び前記タグ側アンテナの通信感度、周波数、通信可能距離、前記ＩＣ回路部のメモリ容量、前記ＩＣ回路部のプロトコル種別のうち少なくとも１つを含むデータを取得し、前記因子群表示制御信号出力手段は、前記パラメータ情報取得手段で取得した前記テープ属性パラメータ情報に応じて、異なる前記設定因子群を前記表示手段に表示させるための前記因子群表示制御信号を出力することを特徴とする。
【００２０】
テープ設置用ホルダを用いて設置されたテープのテープ属性パラメータ情報に応じて設定因子群を異ならせることにより、ニーズに応じて操作者が種々様々なテープを設置した場合でも、それぞれに応じて最適な設定因子群（＝テンプレート）を自動的に関連付けて表示することが可能となる。この結果、面倒な設定操作を行うことなく、各種テープ属性パラメータのテープを基に容易にラベルを同一装置で切り替えて作成することができ、さらに利便性を向上することができる。
【００２１】
第４発明は、上記第３発明において、前記因子群表示制御信号出力手段は、前記タグテープにおける無線タグ回路素子配置間隔に応じて、異なる前記設定因子群を前記表示手段に表示させるための前記因子群表示制御信号を出力することを特徴とする。
【００２２】
これにより、ニーズに応じて操作者が種々様々な無線タグ回路素子間隔のタグテープを設置した場合でも、それぞれに応じて最適な設定因子群（＝テンプレート）を自動的に関連付けて表示することが可能となる。この結果、面倒な設定操作を行うことなく、各種無線タグ回路素子間隔のタグテープを基に、容易に長さの違うタグラベルを同一装置で切り替えて作成することができ、さらに利便性を向上することができる。
【００２３】
第５発明は、上記第１乃至第４発明のいずれかにおいて、前記因子群表示制御信号出力手段が出力した前記因子群表示制御信号により前記表示手段に表示された前記設定因子群と、当該設定因子群の別候補として予め関係づけられて前記記憶手段に記憶された少なくとも１つの前記設定因子群とからなる複数の設定因子群のそれぞれに対し、置き換え可能な領域に所定のデータを挿入して作成した印字データに基づき作成される複数のラベルの複数の印字イメージを、互いに比較可能に前記表示手段に表示させるためのイメージ表示制御信号を出力するイメージ表示制御信号出力手段を有することを特徴とする。
【００２４】
これにより、操作者は、ラベルを実際に作成する前に、互いに異なる設定因子群を適用した場合の印字イメージを表示手段で比較し、ラベルの出来栄えを目で見て確認することができる。
【００２５】
第６発明は、上記第５発明において、前記イメージ表示制御信号出力手段は、前記パラメータ情報取得手段で取得した前記テープ属性パラメータ情報に対応した前記設定因子群の前記置き換え可能な領域に所定のデータを挿入して作成した印字データに基づき作成された前記印字イメージと、前記テープ属性パラメータ情報に対応した前記設定因子群の前記別候補としての前記テープ属性パラメータ情報に対応しない前記設定因子群の前記置き換え可能な領域に所定のデータを挿入して作成した印字データに基づき作成された前記印字イメージとを、比較可能に前記表示手段に表示させるための前記イメージ表示制御信号を出力し、そのイメージ表示制御信号に基づく前記表示手段の表示に対応して、前記対応しない前記印字イメージによる印字を選択する選択操作手段の操作に基づく信号が入力された場合、当該信号に対応した印字を印字手段で行うための印字制御信号を出力する印字制御信号出力手段を設けたことを特徴とする。
【００２６】
これにより、操作者は、テープ設置用ホルダを用いて設置されたテープに対応して自動的に表示された設定因子群による印字イメージを表示手段上で確認できるとともに、その参考としてそれとは別の設置テープと対応しない設定因子群による印字イメージも表示手段上に表示して目で見て比較し、さらに、その参考として表示された印字イメージに対応する設定因子群を改めて選択してこれに基づく印字を行うことも可能となり、これによっても利便性をさらに向上することができる。
【００２７】
第７発明は、上記第６発明において、前記表示手段の表示に対応して、前記対応しない前記印字イメージによる印字を選択する前記選択操作手段の操作に基づく信号が入力された場合、これに対応する報知を行う報知手段に報知制御信号を出力する報知制御信号出力手段を有することを特徴とする。
【００２８】
これにより、テープ設置用ホルダを用いて設置されたテープに対応して自動的に表示された設定因子群とは別に参考表示された設定因子群を改めて選択した場合、そのテープと選択設定因子群がそのままでは対応しておらずテープを交換すべきである旨を、確実に操作者側に認識させることができる。
【００２９】
第８発明は、上記第１乃至第７発明のいずれかにおいて、前記因子群表示制御信号出力手段からの前記因子群表示制御信号に応じて前記表示手段に表示された前記設定因子群に含まれる少なくとも１つの設定因子を変更する編集操作手段の操作に基づく信号が入力された場合、前記因子群表示制御信号出力手段は、当該少なくとも１つの設定因子を当該操作に対応して変更し前記表示手段に表示させるための前記因子群表示制御信号を出力することを特徴とする。
【００３０】
これにより、操作者は、テープ設置用ホルダを用いて設置されたテープに対応して自動的に表示された設定因子群を表示手段上で確認した後、編集操作手段でそれに含まれる少なくとも１つの設定因子を所望の態様に変更することが可能となり、これによっても利便性をさらに向上することができる。
【００３１】
第９発明は、上記第８発明において、前記因子群表示制御信号出力手段は、前記設定因子群に含まれる少なくとも１つの設定因子を変更する前記編集操作手段の操作に基づく信号が入力されるに先立ち、前記パラメータ情報取得手段で取得した前記テープ属性パラメータ情報に対応し、前記少なくとも１つの設定因子の変更範囲の制限を前記表示手段に表示させるための前記因子群表示制御信号を出力することを特徴とする。
【００３２】
これにより、テープに応じて自動的に表示された設定因子群に含まれる設定因子を操作者が編集操作手段で所望の態様に変更する際に、もともとテープ設置用ホルダに設置されたテープに対応する形で、その変更が許容される範囲を制限して表示することができる。
【００３３】
第１０発明は、上記第１乃至第１０発明のいずれかにおいて、前記テープ設置用ホルダ及び前記印字手段を備えたタグラベル作成装置の外部に設けられ当該タグラベル作成装置に通信回線を介して接続され、前記表示手段を備えて構成されたことを特徴とする。
【００３４】
これにより、被印字テープをタグラベル作成装置のテープ設置用ホルダを用いて設置すると、このタグラベル作成装置に通信回線を介して接続された編集装置の表示手段に対応する設定因子群を表示し、その設定因子群を用いた印字をタグラベル作成装置の印字手段によって行い、ラベルを作成することができる。
【００３５】
上記目的を達成するために、本願第１１の発明は、被印字テープを設置するためのテープ設置用ホルダと、前記被印字テープ又はこれに張り合わせるテープに備えられた無線タグ回路素子のＩＣ回路部との間で無線通信により情報の送受信を行う装置側アンテナと、前記無線タグ回路素子の前記ＩＣ回路部へのアクセス情報を生成し、前記装置側アンテナを介して非接触で前記無線タグ回路素子に送信し、前記ＩＣ回路部へのアクセスを行う情報アクセス手段と、前記被印字テープに印字を行う印字手段と、前記テープ設置用ホルダを用いて設置される前記被印字テープ又はこれに貼り合されるテープのテープ属性パラメータ情報を、前記被印字テープ又はこれに貼り合されるテープに対応して設けられた前記テープ属性パラメータ情報を含む識別子を機械的又は光学的に検出した結果に基づき前記識別子より検出するパラメータ情報検出手段と、このパラメータ情報検出手段で検出したテープ属性パラメータ情報として、少なくとも前記テープ設置用ホルダを用いて設置される前記被印字テープ又はこれに貼り合わされるテープに、前記無線タグ回路素子を配置したタグテープが用いられるかどうかに応じ、前記印字手段の印字内容に関して複数組設定され予め記憶手段に格納保持された設定因子群の中から、異なる設定因子群を表示する表示手段と、この表示手段に表示された前記少なくとも１組の設定因子群に対応した、印字手段による印字に関する指示データを入力するデータ入力手段と、このデータ入力手段で入力した前記印字に関する指示データに基づき、前記印字手段を制御する印字制御手段とを有することを特徴とする。
【００３６】
本願第１１発明においては、テープ設置用ホルダを用いて被印字テープが設置されると、その被印字テープ又はこれに貼り合わされるテープに備えられた無線タグ回路素子のＩＣ回路部に対し、装置側アンテナを介して情報アクセス手段がアクセス情報を送信し、情報書き込み又は読み取りを行う。その一方で、当該被印字テープ又はこれに貼り合わされるテープのテープ属性パラメータ情報がパラメータ情報検出手段で検出され、そのテープ属性パラメータ情報に応じた印字内容に関する設定因子群が表示手段に表示される。操作者がこれに対応して選択操作又は編集操作等を行うことで、当該表示された設定因子群に対応した指示データがデータ入力手段で入力され、印字制御手段がその指示データに対応して印字手段を制御し、対応する印字が被印字テープに行われる。このようにして、情報読み取り又は書き込みと印字が完了した印字つき無線タグラベルが作成される。
【００３７】
以上のようにして、多種多様なニーズに応じて操作者がどのような被印字テープをテープ設置用ホルダに設置したとしても、それに応じてそのテープに対して最適な印字に関する設定因子群（＝テンプレート）が自動的に関連付けて表示されるので、操作者はそれを利用して、面倒な設定操作を行うことなく容易に所望のラベルに対する最適な印字を行ってラベルを作成することができ、利便性を向上することができる。
【００３８】
第１２発明は、上記第１１発明において、前記表示手段に表示された前記少なくとも１組の設定因子群のうち前記置き換え可能な領域に挿入される、前記印字に関する指示データを生成するために操作者が操作可能な操作手段を有することを特徴とする。
【００３９】
テープ属性パラメータ情報に応じて表示手段に表示された設定因子群に対し、操作者がこれに応じて操作手段で選択操作又は編集操作等を行うことで、印字制御手段を介し印字手段がその操作に対応した印字を被印字テープに行うことができる。
【００４０】
第１３発明は、上記第１１又は第１２発明において、前記テープ設置用ホルダは、前記被印字テープ又はこれに貼り合わせるテープを巻回したテープロールを収納したテープカートリッジを着脱可能なカートリッジホルダであり、前記テープ属性パラメータ情報を含む前記識別子は、前記テープカートリッジに備えられていることを特徴とする。
【００４１】
テープロールを収納したテープカートリッジをカートリッジホルダに装着すると、当該テープカートリッジに備えられたテープ属性パラメータ情報がパラメータ情報検出手段で検出され、これに応じた印字に関する設定因子群を表示手段に表示することができる。
【００４２】
第１４発明は、上記第１３発明において、前記パラメータ情報検出手段は、前記テープカートリッジに備えられた前記識別子を検出する識別子検出手段であることを特徴とする。
【００４３】
カートリッジ側に設けた識別子を識別子検出手段で検出することで、テープ属性パラメータ情報が取得され、これに応じた印字に関する設定因子群を表示手段に表示することができる。
【００４４】
第１５発明は、上記第１４発明において、前記識別子検出手段は、前記識別子として前記テープカートリッジの種別情報を検出するカートリッジ種別検出手段であることを特徴とする。
【００４５】
カートリッジ種別検出手段でカートリッジ側に設けたカートリッジ種別情報を検出することにより、これに対応するテープ属性パラメータ情報を取得し、これに応じた印字に関する設定因子群を表示手段に表示することができる。
【００４６】
第１６発明は、上記第１１乃至第１５発明のいずれかにおいて、前記データ入力手段は、前記指示データとして、前記印字手段で印字するテキストデータを入力することを特徴とする。
【００４７】
これにより、テープ設置用ホルダを用いて設置されたテープに対応して表示手段に自動表示された設定因子群に対し、データ入力手段で入力したテキストデータを適用することで、操作者が選択した設定因子群に基づく態様で操作者が指示入力したテキストデータを印字したラベルを作成することができる。
【発明の効果】
【００４８】
本発明によれば、面倒な設定操作を行うことなく、種々の態様のラベルに対応した最適な印字を容易に行うことができる。
【発明を実施するための最良の形態】
【００４９】
以下、本発明の実施の形態を図面を参照しつつ説明する。
【００５０】
図１は、本実施形態のタグラベル作成装置が適用される無線タグ生成システムを表すシステム構成図である。
【００５１】
図１に示すこの無線タグ生成システム１（タグラベル作成システム）において、タグラベル作成装置（無線タグ情報通信装置）２は、有線あるいは無線による通信回線３を介してルートサーバ４、タグラベル作成装置２を操作するための端末５（操作端末、タグラベル編集装置）、汎用コンピュータ６、及び情報サーバ７に接続されて、（例えば広域の）ネットワークを構築している。
【００５２】
上記端末５はいわゆるＰＣ（パーソナルコンピュータ）端末であり、表示手段であるディスプレイ５ａ及び入力手段であるキーボード（マウス等でもよい）等の操作手段５ｂを備えると共に、図示しない中央演算処理装置であるＣＰＵ５ｃ（後述の図１６参照）や記憶手段としてのＲＯＭ（図示せず）及びＲＡＭ（図示せず）等を有している。上記ＣＰＵ５ｃは、通信回線３を介して入力される外部信号に基づき、例えばＲＯＭに予め記憶されたタグラベル作成装置２を操作するための所定のアプリケーション及びこのアプリケーションに沿った各種テンプレートを起動するようになっている（詳細は後述）。
【００５３】
図２は、上記タグラベル作成装置２の詳細構造を表す概念的構成図である。
【００５４】
図２において、タグラベル作成装置２の装置本体８には、凹所としてのカートリッジホルダ部（図示せず、テープ設置用ホルダ）が設けられ、このホルダ部に、カートリッジ１００が着脱可能に取り付けられている。
【００５５】
装置本体８は、カートリッジ１００を嵌合させる上記カートリッジホルダ部を備えるとともに外郭を構成する筐体９と、カバーフィルム１０３（被印字テープ）に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム１０３と基材テープ１０１とを貼り合わせつつ印字済ラベル用テープ１１０としてカートリッジ１００から繰り出すための圧着ローラ駆動軸１２と、印字済ラベル用テープ１１０に備えられる無線タグ回路素子Ｔo（タグラベル用無線タグ回路素子、詳細は後述）との間でＵＨＦ帯等の高周波を用いて無線通信により信号の送受を行うアンテナ１４（装置側アンテナ）と、上記印字済ラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後のテープ１１０（＝無線タグラベルＴ）を案内するための一対の搬送ガイド１３と、その案内された無線タグラベルＴを搬出口（排出口）１６へと搬送し送出する送出ローラ１７と、搬出口１６における無線タグラベルＴの有無を検出する排出センサ１８とを有する。
【００５６】
一方、装置本体８はまた、上記アンテナ１４を介し上記無線タグ回路素子Ｔoへとアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５（印字制御手段）と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、カートリッジ１００に設けた被検出部１９０に備えられた複数の識別子のそれぞれの凹凸形状を公知の手法（例えば機械的又は光学的に）検出するセンサ（識別子検出手段、カートリッジ種別検出手段、パラメータ情報検出手段）２０と、複数の文字入力キーや各種ファンクションキーからなり操作者が印字に関する文字データや指示データを入力可能な操作部５２と、上記操作部５２から入力した文字データや指示データ又は報知信号（詳細は後述）を操作者に対して表示可能な表示部５３と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５７】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００５８】
また、無線タグ回路素子Ｔoの識別情報（タグＩＤ）と物品情報との対応関係（又は物品情報のアドレスとの対応関係）等の各種情報は、例えば不揮発性記憶装置からなる上記ルートサーバ４（又は情報サーバ７）のデータベース（図示せず）に格納保持されている。
【００５９】
図３は、カートリッジ１００の詳細構造を説明するための説明図である。
【００６０】
この図３において、カートリッジ１００は、筐体１００Ａと、この筐体１００Ａ内に配置され帯状の上記基材テープ１０１が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済ラベル用テープ１１０としつつ矢印Ａで示す方向にテープ送りをする（＝テープ送りローラとしても機能する）圧着ローラ１０７とを有する。
【００６１】
第１ロール１０２は、リール部材１０２ａの周りに、長手方向に複数の無線タグ回路素子Ｔoが所定の等間隔で順次形成された上記基材テープ１０１を巻回している。
【００６２】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００６３】
ベースフィルム１０１ｂの裏側（図３中左側）には、情報の送受信を行うアンテナ１５２がこの例では一体的に設けられており、これに接続するように情報を更新可能に（書き換え可能rewritableに）記憶するＩＣ回路部１５１が形成され、これらによって無線タグ回路素子Ｔoが構成されている。
【００６４】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００６５】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００６６】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００６７】
被検出部１９０には、このカートリッジ１００内における無線タグ回路素子Ｔoの有無に関する情報（カートリッジ情報）が記録保持されている（すなわち無線タグ回路素子Ｔoを備えた基材テープ１０１を備えているか、あるいは無線タグ回路素子Ｔoを備えない通常のテープを備えているかについて、この例では前者である旨の情報が記録されている）。また、上記タグ有無に関する情報のほか、タグ属性パラメータ（テープ幅、無線タグ回路素子Ｔoの配置間隔、ＩＣ回路部１５１及びアンテナ１５２の通信感度、ＩＣ回路部１５１のメモリ容量、通信に用いる通信プロトコル、電波送信出力、周波数、通信可能距離等）を記録するようにしても良い。本明細書では、上記タグ有無情報、タグ属性パラメータを含む各種情報を「テープ属性パラメータ情報」と総称する。基材テープ１０１に備えられる各無線タグ回路素子ＴoのＩＣ回路部１５１の無線タグ情報に対しアンテナ１４よりアクセスを行う前に先立ち、その情報が読み取られ、対応する信号が制御回路３０へ入力されるようになっている。なお、例えば情報サーバ７に、予めカートリッジ１００の種類と無線タグ回路素子Ｔoに関する各種のパラメータデータ（詳細は後述）との対応関係を格納保持しておき、上記被検出部１９０に記録されたカートリッジ１００の種類情報をセンサ２０で読み取ってこれに基づき上記情報サーバ７にアクセスすることで各種テープ属性パラメータ情報等を取得するようにしてもよい。
【００６８】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００６９】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済ラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００７０】
ここで、本実施形態の特徴の一つとして、上記カートリッジホルダ部（図示せず）には、無線タグ回路素子を備えない通常の基材テープ１０１′を備えたカートリッジ１００′を着脱可能に取り付けることもできる。図４は、このカートリッジ１００′の詳細構造を説明するための説明図であり、上記図３に対応する図である。
【００７１】
図４において、カートリッジ１００′では、第１ロール１０２が、リール部材１０２ａの周りに、無線タグ回路素子Ｔoのない通常の基材テープ１０１′を巻回している点が上記カートリッジ１００と異なる。それ以外の構成及び繰り出し動作等は上記カートリッジ１００と同様であるので説明を省略する。
【００７２】
また、このカートリッジ１００′の被検出部１９０にも、上記カートリッジ１００と同様、カートリッジ内における無線タグ回路素子Ｔoの有無に関する情報が記録保持されている（この例では無線タグ回路素子Ｔoを備えない通常のテープ１０１′を備えている旨の情報が記録されている）。また、その他、テープ幅等各種テープ属性パラメータ情報等を記録するようにしても良い。読み取られた情報は制御回路３０へ入力される。
【００７３】
図５は、上記高周波回路２１の詳細機能を表す機能ブロック図である。この図５において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００７４】
送信部３２は、制御回路３０からの制御信号に応じ、無線タグ回路素子ＴoのＩＣ回路部１５１の無線タグ情報にアクセス(読み取り又は書き込み)するための搬送波を発生させる水晶振動子３５、ＰＬＬ（Phase
Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯やマイクロ波帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００７５】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００７６】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００７７】
図６は、上記無線タグ回路素子Ｔoの機能的構成を表す機能ブロック図である。この図６において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７８】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７９】
変復調部１５８は、アンテナ１５２により受信された上記タグラベル作成装置２のアンテナ１４からの通信信号の復調を行うと共に、上記制御部１５５からの応答信号に基づき、アンテナ１５２が受信した搬送波を変調し、アンテナ１５２より反射波として再送信する。
【００８０】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８１】
クロック抽出部１５６は受信した信号からクロック成分を抽出して制御部１５５にクロックを抽出するものであり、受信した信号のクロック成分の速度に対応したクロックを制御部１５５に供給する。
【００８２】
ここで、本実施形態の要部は、センサ２０で検出したカートリッジ１００，１００′の種類（＝カートリッジ情報。言い換えればカートリッジ１００，１００′に内蔵されているテープ１０１，１０１′の種類にも相当する）に応じて、端末５において自動的に当該テープ１０１，１０１′に対応した印字用のテンプレートがディスプレイ５ａ上に自動的に表示され、操作者がそのテンプレート上に印字したいデータ（例えばテキストデータ）を入力するだけで、当該テープ種類に対応した最適な印字態様を実現できるようになっていることである。以下、その内容を順を追って説明する。
【００８３】
図７（ａ）及び図７（ｂ）は、無線タグ回路素子Ｔoを備えたカートリッジ１００がカートリッジホルダ部に装着されて、無線タグ回路素子Ｔoへの情報書き込み及び印字済ラベル用テープ１１０の切断が完了し形成された無線タグラベルＴの外観の一例を表す図であり、図７（ａ）は上面図、図７（ｂ）は下面図である。また図８は、図７中VIII−VIII′断面による横断面図である。
【００８４】
これら図７（ａ）、図７（ｂ）、及び図８において、無線タグラベルＴは、図３に示した４層構造にカバーフィルム１０３が加わった５層構造となっており、カバーフィルム１０３側（図８中上側）よりその反対側（図８中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（図では名札の例で、後述するようにそれぞれ所定のフォント、大きさで、会社名、部門名、氏名の３つの文字列「ＡＢＣ工業株式会社  ＸＸＸ開発部  堀田太郎」の文字列及び幅方向中央部にラベル長手方向に伸びる仕切線等）が印刷されている。またラベル長手方向両端部（図７中左右端部）には、無線タグ回路素子Ｔo入りの無線タグラベルＴであることを示す無線タグラベルマークＲoも併せて印字されている。
【００８５】
図９（ａ）及び図９（ｂ）は、無線タグ回路素子Ｔoを備えないカートリッジ１００′がカートリッジホルダ部に装着されて、印字済のテープ１１０の切断が完了し形成されたラベルＴ′の外観の一例を表す図であり、図９（ａ）は上面図、図９（ｂ）は下面図である。また図１０は、図９中Ｘ−Ｘ′断面による横断面図である。
【００８６】
これら図９（ａ）、図９（ｂ）、及び図１０において、ラベルＴ′は、上記無線タグラベルＴ同様、カバーフィルム１０３、粘着層１０１ａ、ベースフィルム１０１ｂ、粘着層１０１ｃ、剥離紙１０１ｄで５層を構成している。そして、カバーフィルム１０３の裏面に印字Ｒ′（図の例では「ＡＢＣ工業株式会社  ＸＸＸ開発部  堀田太郎」の文字、及び幅方向中央部にラベル長手方向に伸びる仕切線等）が印刷されている。このとき、このラベルＴでは無線タグ回路素子Ｔoが含まれていないことから、前述の無線タグラベルマークＲoが省略されており、これに伴って印字Ｒ′のレイアウトも上記無線タグラベルＴの印字Ｒとは異なる態様となっている。
【００８７】
図１１は、上記無線タグ回路素子Ｔoを含む基材テープ１０１を備えたカートリッジ１００がカートリッジホルダ部に装着されたときにディスプレイ５ａ上に表示される、印字用のテンプレートの一例を表す図である。
【００８８】
図１１において、このテンプレート２００は、テープ幅が２４ｍｍで無線タグ回路素子Ｔoの配置間隔が１２０ｍｍである基材テープ１０１を備えたカートリッジ１００の場合を示しており、切断余白をテープ長手方向両端１０ｍｍずつ設定する結果、テープの長さは１００ｍｍの固定長となっている。このテンプレート２００には、ＩＣ回路部１５１を備えた無線タグラベルＴであることを示す前述した無線タグラベルマークＲoが予め設定されており、さらにその中間に部署印字領域２０４と、氏名印字領域２０６とが設定されている。なお、図では初期設定として部署印字領域２０４に「department」の文字が書き換え可能に設定されている状態、氏名印字領域２０６が「name」の文字が書き換え可能に設定されている場合を示しているが、実際の印字データ作成時には、それら部署印字領域２０４及び氏名印字領域２０６にはそれぞれ、操作者が名札作成対象として指定した者の「所属部署名」及び「氏名」が上記記憶装置５Ｅのデータベースから置き換えられて挿入されて（後述の図２３等も参照）ディスプレイ５ａ上にイメージ表示される。
【００８９】
図１２は、上記無線タグ回路素子Ｔoを含まない基材テープ１０１′を備えたカートリッジ１００′がカートリッジホルダ部に装着されたときにディスプレイ５ａ上に表示される、印字用のテンプレート３００の一例を表す図である。
【００９０】
図１２において、このテンプレート３００は、上記図１１のテンプレート２００に対応するものであり、テープ幅が２４ｍｍである基材テープ１０１′を備えたカートリッジ１００′の場合を示している。このテンプレート３００には、上記テンプレート２００同様中間部に部署印字領域３０４と、氏名印字領域３０６とが設定されているが、上記テンプレート２００と異なり無線タグラベルマークＲoは設定されない。上記同様、図では初期設定として部署印字領域３０４に「department」の文字が書き換え可能に設定されている状態、氏名印字領域３０６が「name」の文字が書き換え可能に設定されている場合を示しているが、実際の印字データ作成時にはそれぞれ、操作者が名札作成対象として指定した者の「所属部署名」及び「氏名」が記憶装置５Ｅのデータベースから置き換えられて挿入されて（後述の図２３等も参照）ディスプレイ５ａ上にイメージ表示される。
【００９１】
また、このテンプレート３００では、切断余白がテープ長手方向両端５ｍｍずつ設定されるが、テープの長さは指定のフォントサイズ（この例では例えば２０ドット、後述の図１５参照）にて指定された文字列を配置した可変長となる。すなわち、部署表示領域３０４又は氏名印字領域３０６に印字する文字数に合わせて、指定されたフォントサイズで指定された文字列がおさまるように、自動でラベル長が決定される。なお、上記テンプレート３００は、後述するベーステンプレートの一例を構成するものである。
【００９２】
一方、図１３は、無線タグ回路素子Ｔoを含む基材テープ１０１を備えたカートリッジ１００がカートリッジホルダ部に装着されたときに表示される印字用のテンプレートの他の例を表す図である。このテンプレート２１０は、テープ幅が３６ｍｍで無線タグ回路素子Ｔoの配置間隔が１２０ｍｍである基材テープ１０１を備えたカートリッジ１００の場合を示しており、上記図１１と同様、切断余白をテープ長手方向両端１０ｍｍずつ設定する結果、テープの長さは１００ｍｍの固定長となっている。その他、無線タグラベルマークＲo、部署印字領域２１４、氏名印字領域２１６の設定等については図１１と同様であるので説明を省略する。
【００９３】
また図１４は、上記無線タグ回路素子Ｔoを含まない基材テープ１０１′を備えたカートリッジ１００′がカートリッジホルダ部に装着されたときに表示される印字用のテンプレートの他の例を表す図である。このテンプレート３１０は、上記図１３のテンプレート２１０に対応するテープ幅が３６ｍｍである基材テープ１０１′を備えたカートリッジ１００′の場合を示しており、上記テンプレート２１０同様部署印字領域３１４、氏名印字領域３１６が設定され、無線タグラベルマークＲoは設定されない。また、このテンプレート３１０では、切断余白がテープ長手方向両端５ｍｍずつ設定されるが、テープの長さは可変長となり、文字配置も図１３の場合の中央寄せではなく、左寄せと設定されている。なお、上記テンプレート３１０も、後述するベーステンプレートの一例を構成するものである。
【００９４】
なお、上記に図示した例では、部署表示領域２０４，２１４，３０４，３１４に指定されたフォントサイズで１行で印字したイメージ（印字文字数が少ない場合に相当）を表示しているが、印字する文字列が多い場合には、自動で小さいフォントを選択又は文字列を縮小して、２行にわたってレイアウトするようにしてもよい（前述の図７（ａ）参照）。
【００９５】
図１５は、上記のようにして端末５のディスプレイ５ａに表示されるテンプレートにおける印字に係わる各種設定項目及びそれぞれの設定値・設定態様の一例を一覧して示す説明図である。
【００９６】
図１５において、上記設定項目としては、この例では、基材テープ１０１，１０１′の幅、ラベルＴ，Ｔ′の（長手方向）長さ、（切断時の）左右余白のサイズ、印字文字Ｒ，Ｒ′のフォントやフォントスタイル、テキストの縦方向（ラベル幅方向）及び横方向（ラベル長手方向）における整列方向、文字数の（制限）制御、テキストの塗りつぶし、全体の背景、無線タグラベルマークＲoの有無等が設定されている。図示の例では、上記図１１及び図１２にそれぞれ示したテンプレート２００，３００についての各種設定の例を示している。
【００９７】
無線タグ回路素子Ｔoのない場合の上記テンプレート３００では、前述したように基材テープ１０１′の幅は２４ｍｍ、ラベルＴ′の長手方向長さは自由長、切断時の左右余白のサイズ５ｍｍ、印字文字Ｒ′のフォントはゴシック体、フォントサイズは２０ドット固定、フォントスタイルは太字、テキストの縦方向（ラベル幅方向）の整列方向は中央揃え、テキストの横方向（ラベル長手方向）における整列方向は左揃え、文字数の制限制御は自由長（制限なし）、テキストの塗りつぶしなし、全体の背景なし、無線タグラベルマークＲoなし、等に設定されている。
【００９８】
無線タグ回路素子Ｔoのある場合の上記テンプレート２００では、前述したように基材テープ１０１の幅は２４ｍｍ、タグラベルＴの長手方向長さは１００ｍｍの固定長、切断時の左右余白のサイズ１０ｍｍ、印字文字Ｒのフォントはゴシック体、フォントサイズは自動設定、フォントスタイルは太字、テキストの縦方向（ラベル幅方向）の整列方向は無線タグ回路素子Ｔoの配置位置とテープ幅方向反対側揃え、テキストの横方向（ラベル長手方向）における整列方向は中央揃え、文字数の制限制御は外枠サイズ固定（枠サイズ内に制限。文字数が多い場合は上記のようにフォントサイズを小さく自動設定し、改行も行う）、テキストの塗りつぶしなし、全体の背景なし、無線タグラベルマークＲoあり、等に設定されている。
【００９９】
なお、上記設定項目のほか、作成印字データの絵柄などのデザインなどの他の設定を備えることも可能である。
【０１００】
図１６は、端末５のディスプレイ５ａ等に上記テンプレート２００，３００，２１０，３１０等を表示するための上記ＣＰＵ５ｃの機能を表す機能ブロック図である。図１６において、ＣＰＵ５ｃは、操作手段５ｂの操作入力結果やこれに対応するルートサーバ４又は情報サーバ７におけるデータベースへのアクセス結果等に応じ、ラベルＴ，Ｔ′の使用対象物品（この例では例えば社員用名札）に係わる物品データ（前述の例では例えば当該会社における社員名簿及び各社員の各種データ）の処理や、タグラベル作成装置２のセンサ２０の検出結果に基づく上記カートリッジ情報等の処理を行う外部データ処理部５Ｄと、ベーステンプレートファイルＦ１やタグ入りテープ用の置換テンプレートファイルＦ２を格納保持するデータベース（ファイルデータベース）を構成する記憶装置５Ｅ（記憶手段）と、上記カートリッジ情報に基づき上記ベーステンプレートファイルＦ１より対応するベーステンプレートを選択するベーステンプレート選択部５Ａと、上記カートリッジ情報に基づき、対応する置換テンプレートファイルＦ２より対応する置換テンプレートを選択し、上記ベーステンプレートのうち一部の設定項目を置き換えて合成することで、ベーステンプレートとは異なるテンプレート（無線タグ回路素子Ｔoを備えたカートリッジに対応するテンプレート等）を生成する置換テンプレート合成部５Ｂと、上記ベーステンプレート５Ａ（又はこれと置換テンプレート５Ｂとを用いて合成した置換後のテンプレート）にテキスト等の印字データを挿入し、タグラベル作成装置２の上記印字ヘッド１０を印字駆動させるための印字データ信号を作成する印字データ作成部５Ｃとを備えている。
【０１０１】
記憶装置５Ｅ内には、この例では、図示のようにベーステンプレートファイルＦ１、タグ入りテープ用の置換テンプレートファイルＦ２等が例えばフォルダ形式で備えられている。なお、このデータベースは、端末５の記憶装置５Ｅ内に設けるのに限られず、別の箇所、例えば通信回線３を介して端末５やタグラベル作成装置２外に設けても良いし、タグラベル作成装置２内に設けても良い。
【０１０２】
ベーステンプレートファイルＦ１は、例えば前述の図１５で説明したテンプレート３００，３１０における各種設定項目及びそれぞれの設定値・設定態様のデータが、この例ではテープ幅ごとに（２４ｍｍ、３６ｍｍ、…等）１つのファイルとして収納されている。すなわち、前述のテンプレート３００の例に沿って説明すると、基材テープ１０１′の幅は２４ｍｍ、ラベルＴ′の長手方向長さは自由長、切断時の左右余白のサイズ５ｍｍ、印字文字Ｒ′のフォントはゴシック体、フォントサイズは２０ドット固定、フォントスタイルは太字、テキストの縦方向（ラベル幅方向）の整列方向は中央揃え、テキストの横方向（ラベル長手方向）における整列方向は左揃え、文字数の制限制御は自由長（制限なし）、テキストの塗りつぶしなし、全体の背景なし、無線タグラベルマークＲoなし、等のデータが１つのファイルとして格納されている。
【０１０３】
一方、置換テンプレートファイルＦ２は、例えば前述したテンプレート２００，２１０等における各種設定項目及び設定値・設定態様のデータの表示を実現するためのものである。ここで本実施形態の特徴の一つとして、無線タグ回路素子Ｔo入りの基材テープ１０１に対するテンプレート２００，２１０等の表示をディスプレイ５ａに実現するにあたり、当該テンプレート２００，２１０等のデータを上記ベーステンプレートファイルのようにテープ幅ごとに個別にファイルとして記憶するのではなく、同じテープ幅のベーステンプレートファイル３００，３１０等のうち一部のデータを置き換えることでテンプレート２００，２１０等の表示を実現するようになっている。置換テンプレートファイルＦ３はその置き換えを行うためのデータを各テープ幅ごとに（２４ｍｍ、３６ｍｍ、…等）１つのファイルとして収納したものである。
【０１０４】
すなわち、前述の図１５及び図１１に示したテンプレート２００の例（テープ幅２４ｍｍの場合）に沿って説明すると、ラベルＴ′長手方向長さ自由長→ラベルＴの長さ１００ｍｍ（固定）、切断時の左右余白のサイズ５ｍｍ→１０ｍｍ、印字文字Ｒ′フォントサイズ２０ドット固定→印字文字Ｒフォントサイズは自動制御、テキストの縦方向の整列方向中央揃え→上又は下揃え、テキストの横方向の整列方向左揃え→中央揃え、文字数の制限制御なし→枠サイズ固定制御無線タグラベルマークＲoなし→ありという７つのデータ変換が１つのファイルとして格納されている。言い換えれば、テンプレート３００とテンプレート２００とで共通（同一設定）である、印字文字Ｒ′，Ｒのフォント（＝ゴシック体）、フォントスタイル（＝太字）、テキストの塗りつぶしなし、全体の背景なし、等のデータはテープ幅２４ｍｍの置換テンプレートファイルには備えられていない。
【０１０５】
図１７は、端末５のＣＰＵ５ｃが実行する制御手順を表すフローチャートである。図１７において、例えば操作手段５ｂにおける適宜の操作（タグラベルの作成開始指示操作等）があるとこのフローが開始される。まず、ステップＳ３０２において、前述の外部データ処理部５Ｄで、通信回線３を介して上記ルートサーバ４（又は情報サーバ７）のデータベース（図示せず）にアクセスし、無線タグ回路素子Ｔoの添付対象である物品（例えば名札）に係わる物品データ（例えば上記名札印刷用の社員データ）のリストを取得し、一旦ＲＡＭに記憶するとともにディスプレイ５ａに表示制御信号を出力して当該リストを表示させる（又はタグラベル作成装置２の表示部５３でもよい）。このリストには、例えば当該会社の部署名ごとに、各部署に属する全社員の氏名、性別、年齢、社員番号、肩書、入社年度等が記載されている。
【０１０６】
上記ディスプレイ５ａ等への表示に応じ、操作者が操作手段５ｂを介し選択指示を行うと、次のステップＳ３０４において、外部データ処理部５Ｄで、上記ステップＳ３０２で取得した物品データ（社員データ）リストの中から当該選択指示された社員に係わるデータを抽出選択し、一旦ＲＡＭに記憶する。
【０１０７】
その後、ステップＳ３０６に移り、外部データ処理部５Ｄで、タグラベル作成装置２の制御回路３０より、センサ２０での検出結果に基づく上記カートリッジ情報やさらにはテープ属性パラメータ情報（タグ属性パラメータを含む）を上記通信回線３を介して取得する。
【０１０８】
その後、ステップＳ３０８に移り、外部データ処理部５Ｄで、上記ステップＳ３０６で取得したカートリッジ情報やテープ属性パラメータ情報等に基づき、タグラベル作成装置２のカートリッジホルダ部に装着されているのが、無線タグ回路素子Ｔoを備えた基材テープ１０１を備えたカートリッジ１００であるか、無線タグ回路素子Ｔoを備えない通常の基材テープ１０１′を備えたカートリッジ１００′であるかを判定する。
【０１０９】
無線タグ回路素子Ｔoを備えない通常の基材テープ１０１′を備えたカートリッジ１００′が装着されていた場合はステップＳ３０８の判定が満たされ、ステップＳ３１０に移る。ステップＳ３１０では、前述のベーステンプレート選択部５Ａで、記憶装置５ＥのデータベースのベーステンプレートファイルＦ１にアクセスし、その中から前述のステップＳ３０６で取得した属性パラメータ情報に対応したテンプレート（例えばテープ幅２４ｍｍのもの）を検索抽出し、一旦ＲＡＭに記憶させる。
【０１１０】
一方、無線タグ回路素子Ｔoを備えた基材テープ１０１を備えたカートリッジ１００が装着されていた場合はステップＳ３０８の判定が満たされず、ステップＳ３１２に移る。ステップＳ３１２では、前述のベーステンプレート選択部５Ａで、記憶装置５ＥのデータベースのベーステンプレートファイルＦ１にアクセスし、その中から前述のステップＳ３０６で取得したテープ属性パラメータ情報に対応したテンプレート（例えばテープ幅２４ｍｍのもの）を検索抽出し、一旦ＲＡＭに記憶させる。その後さらに、前述の置換テンプレート合成部５Ｂで、記憶装置５Ｅのデータベースのタグ入りテープ用置換テンプレートファイルＦ２にアクセスし、その中から前述のステップＳ３０６で取得したテープ属性パラメータ情報に対応したテンプレート（例えばテープ幅２４ｍｍのもの）を検索抽出し、一旦ＲＡＭに記憶させる。そして前述したように、上記テープ幅２４ｍｍのベーステンプレートファイルのうち一部の所定項目のデータを上記置換テンプレートファイルで置き換え、最終的にディスプレイ５ａ等で表示させるための（タグ有りカートリッジ１００用の）テンプレートを合成し、一旦ＲＡＭに記憶させる。
【０１１１】
上記ステップＳ３１０又はステップＳ３１２が終了したら、ステップＳ３１３に移り、ディスプレイ５ａに表示制御信号を出力し、上記ステップＳ３１０又はステップＳ３１２でＲＡＭに記憶したテンプレートを表示させる（前述の図１１、図１２、図１３、図１４等参照）。このステップＳ３１３が終了したら、ステップＳ３１４に移る。なお、このステップＳ３１３によるテンプレートの表示は必ずしも行わなくても良い。
【０１１２】
ステップＳ３１４では、上記印字データ作成部５Ｃで、上記ステップＳ３１０又はステップＳ３１２でＲＡＭに記憶保持させたテンプレートを読み出し、このテンプレートのうち置き換え可能な領域（前述の図１１、図１２、図１３、図１４等における部署印字領域２０４，３０４，２１４，３１４や、氏名印字領域２０６，３０６，２１６，３１６等を参照）に、ステップＳ３０４で抽出選択した社員に係わるデータを挿入して、印字データを作成する。
【０１１３】
その後、ステップＳ３１６に移り、印字データ作成部５Ｃで、上記ステップＳ３１４で作成した印字データに対応する表示制御信号をディスプレイ５ａに出力し、当該印字データにより実際にタグラベルＴ又はラベルＴ′が作成されたときのイメージ表示を行わせる。この表示は、例えば端末５のディスプレイ５ａに、前述の図７（ａ）や図９（ａ）に示したような作成後のラベルＴ，Ｔ′の姿にほぼ等しいものが表示（プレビュー）される。
【０１１４】
その後、ステップＳ３１８において、印字データ作成部５Ｃで、上記ステップＳ３１４で作成され上記ステップＳ３１６でイメージ表示された印字データと、上記ステップＳ３０４で選択された上記物品データ（前述の例では選択指示された社員に係わるデータ）を、通信回線３を介しタグラベル作成装置２の制御回路３０へ出力（送信）し、このフローを終了する。
【０１１５】
図１８は、上述したラベルＴ，Ｔ′の作成、すなわち、カバーフィルム１０３を搬送し印字ヘッド１０で所定の印字を行いつつ基材テープ１０１を貼り合わせて印字済ラベル用テープ１１０とした後印字済ラベル用テープ１１０を切断しラベルＴ，Ｔ′とする際に、制御回路３０によって実行される制御手順を表すフローチャートである。
【０１１６】
この図１８において、例えば操作者が端末５の操作手段５ａ（又は汎用コンピュータ６でもよい。以下、同様）を介し、タグラベル作成装置２におけるタグ情報読み取り又は書き込み操作（言い換えればタグラベル作成操作）を行うとこのフローが開始される。
【０１１７】
まず、ステップＳ１１０において、先の図１７に示したステップＳ３１８で端末５から出力された、印字ヘッド１０によりラベルＴ，Ｔ′へ印字すべき印字情報と、アンテナ１４より無線タグ回路素子ＴoのＩＣ回路部１５１へ書き込むべき無線タグ情報（少なくとも無線タグ回路素子Ｔoの識別情報を含み、例えば前述の例では社員に係わるデータ等の物品データを含んでも良い。あるいは、物品データを情報サーバ７等に格納保持し、無線タグ回路素子Ｔoの識別情報と物品データとを関連づけるためのいわゆるひも付け情報を上記ルートサーバ４等に格納保持し、識別情報のみをＩＣ回路部１５１へ書き込むようにしてもよい）とが、通信回線３及び入出力インターフェイス３１を介し読み込まれる。なお、無線タグ回路素子を備えない通常の基材テープ１０１′を備えたカートリッジ１００′を装着した場合は、ステップＳ１１０では印字情報のみが読み込まれる。
【０１１８】
その後、ステップＳ１１５に移り、無線タグ回路素子Ｔｏからの応答がない場合にリトライ（再試行）を行う回数をカウントする変数Ｎ、及び通信良好か不良かを表すフラグＦを０に初期化する。
【０１１９】
次に、ステップＳ１２０において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１又は１０１′が繰り出され圧着ローラ１０７へ供給され、第２ロール１０４からはカバーフィルム１０３が繰り出される。またこのとき、印刷駆動回路２５に制御信号を出力し、印字ヘッド１０を通電して、カバーフィルム１０３のうち所定の領域（例えば無線タグ回路素子を備えた基材テープ１０１を備えたカートリッジ１００を装着した場合は、基材テープ１０１に所定ピッチで等間隔で配置された無線タグ回路素子Ｔoの裏面に貼り合わせることとなる領域）に、上記ステップＳ１１０で読み込んだ文字、記号、バーコード等の印字Ｒを印刷させる。さらに送出ローラ駆動回路２９を介して送出ローラ用モータ２８に制御信号を出力し、送出ローラ１７を回転駆動させる。以上の結果、前述したように基材テープ１０１又は１０１′と上記印刷が終了したカバーフィルム１０３とが上記圧着ローラ１０７及びサブローラ１０９により接着されて一体化され、印字済ラベル用テープ１１０として形成され、カートリッジ１００又は１００′外方向へと搬送される。
【０１２０】
その後、ステップＳ１２５において、印字済ラベル用テープ１１０が所定値Ｃ（例えば無線タグ回路素子を備えた基材テープ１０１を備えたカートリッジ１００を装着した場合は、対応する印字が施されたカバーフィルム１０３が貼り合わされた無線タグ回路素子Ｔoが搬送ガイド１３に到達するだけの搬送距離）だけ搬送されたかどうかを判断する。このときの搬送距離判定は、例えば、上記基材テープ１０１又は１０１′に設けた適宜の識別用マークを別途設けた公知のテープセンサで検出することにより行えば足りる。判定が満たされたら、次のステップＳ１３０に移る。
【０１２１】
ステップＳ１３０では、無線タグ情報を無線タグ回路素子Ｔoに送信し書き込む書き込み処理を行う（詳細は後述の図１９を参照）。なお、無線タグ回路素子を備えない通常の基材テープ１０１′を備えたカートリッジ１００′を装着した場合は、この手順を省略してもよい。
【０１２２】
次のステップＳ１４０では、フラグＦ＝０であるかどうかが判定される。書き込み処理が正常に完了していればＦ＝０のまま（後述の図１９に示すフローのステップＳ１３８参照）であるので、この判定が満たされ、ステップＳ１４１に移る。一方、何らかの理由で書き込み処理が正常に完了していない場合はＦ＝１とされている（後述の図１９に示すフローのステップＳ１３８参照）のでこの判定が満たされず、ステップＳ１４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、後述のステップＳ１６０へ移る。なお、無線タグ回路素子を備えない通常の基材テープ１０１′を備えたカートリッジ１００′を装着した場合は、これらステップＳ１４０及びステップＳ１４５の手順は省略される。
【０１２３】
ステップＳ１４１では、上記ステップＳ１３０で無線タグ回路素子Ｔoへ書き込んだ無線タグ情報と、これに対応して印字ヘッド１０により印字された印字情報との組み合わせが、入出力インターフェイス３１及び通信回線３を介して出力され、情報サーバ７やルートサーバ４に記憶される。なお、この記憶データは必要に応じて端末５又は汎用コンピュータ６より参照可能に例えばデータベース内に格納保持される。
【０１２４】
その後、ステップＳ１５０で、カバーフィルム１０３のうちこの時点で処理対象としている所定領域（無線タグ回路素子を備えた基材テープ１０１を備えたカートリッジ１００を装着した場合は、例えば無線タグ回路素子Ｔoに対応する領域）への印字がすべて完了しているかどうかを確認した後、ステップＳ１６０へ移る。
【０１２５】
ステップＳ１６０では、印字済ラベル用テープ１１０がカッタ１５で切断されるべき所定位置にまで搬送されたかどうかを判定する。具体的には、例えば無線タグ回路素子を備えた基材テープ１０１を備えたカートリッジ１００を装着した場合は、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。
【０１２６】
またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【０１２７】
上記ステップＳ１６０の判定が満たされたら、ステップＳ１７０に移る。ステップＳ１７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１又は１０１′の繰り出し、第２ロール１０４からのカバーフィルム１０３の繰り出し、及び送出ローラ１７による印字済ラベル用テープ１１０の搬送が停止する。
【０１２８】
次のステップＳ１８０では、ソレノイド駆動回路２７に制御信号を出力してソレノイド２６を駆動し、カッタ１５によって印字済ラベル用テープ１１０の切断を行う。前述したように、この時点で、印字済みラベル用テープ１１０はカッタ１５を十分に越えており、このカッタ１５の切断によって、無線タグ回路素子Ｔoの無線タグ情報が読み取られかつこれに対応する所定の印字が行われたラベル状の無線タグラベルＴ、若しくは、所定の印字が行われた印字ラベルＴ′が生成される。
【０１２９】
その後、ステップＳ１９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１８０でラベル状に生成された無線タグラベルＴ又は印字ラベルＴ′が搬出口１６へ向かって搬送され、搬出口１６から装置２外へと排出される。
【０１３０】
図１９は、無線タグ回路素子を備えた基材テープ１０１を備えたカートリッジ１００′が装着された場合に実行される、上記ステップＳ１３０の詳細手順を表すフローチャートである。
【０１３１】
図１９において、図１８における前述のステップＳ１２５が終了すると、（適宜、公知の手法によって無線タグ回路素子Ｔoの識別情報を設定した後）まずステップＳ１３１において、所望のデータをメモリ部１５７に書き込む「Program」コマンドを信号処理回路２２に出力する。これに基づき信号処理回路２２で少なくとも上記識別情報を含む無線タグ情報としての「Program」信号が生成されて高周波回路２１の送信部３２及びアンテナ１４を介して書き込み対象の無線タグ回路素子Ｔoに送信され、そのメモリ部１５７に情報が書き込まれる。
【０１３２】
その後、ステップＳ１３２において、メモリ部１５７の内容を確認する「Verify」コマンドを信号処理回路２２に出力する。これに基づき信号処理回路２２で無線タグ情報としての「Verify」信号が生成されて高周波回路２１の送信部３２及びアンテナ１４を介して書き込み対象の無線タグ回路素子Ｔoに送信され、返信を促す。
【０１３３】
そして、ステップＳ１３３に移り、上記「Verify」信号に対応して上記無線タグ回路素子Ｔoから送信（返信）されたリプライ（応答）信号をアンテナ１４を介して受信し、高周波回路２１の受信部３３及び信号処理回路２２を介し取り込む。
【０１３４】
次に、ステップＳ１３４において、上記ステップＳ１３３の受信結果に基づき、当該無線タグ回路素子Ｔoのメモリ部１５７内に記憶された情報を確認し、前述の送信した所定の情報がメモリ部１５７に正常に記憶されたか否かを判定する。
【０１３５】
判定が満たされない場合はステップＳ１３５に移ってＮに１を加え、さらにステップＳ１３６においてＮ＝５かどうかが判定される。Ｎ≦４の場合は判定が満たされずステップＳ１３１に戻り同様の手順を繰り返す。Ｎ＝５の場合はステップＳ１３７に移る。ステップＳ１３７では、エラー表示信号を入出力インターフェイス３１及び通信回線３を介し上記端末５又は汎用コンピュータ６へ出力し、対応する書き込み失敗（エラー）表示を行わせた後、ステップＳ１３８でフラグＦ＝１としてこのルーチンを終了する。このように、情報書き込みが不調でも５回までは再試行が行われることにより、書き込み信頼性の確保上、万全を期すことができる。
【０１３６】
一方、Ｓ１３４の判定が満たされたら、ステップＳ１３９に移り、以後の情報書き込みを禁止するための「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出される。ステップＳ１３９が終了したら、このフローを終了する。
【０１３７】
なお、以上は、無線タグ回路素子Ｔoに対し無線タグ情報を送信しＩＣ回路部１５１に書き込みを行って無線タグラベルＴを作成する場合を説明したが、これに限られず、予め所定の無線タグ情報が書き換え不可に記憶保持されている読み取り専用の無線タグ回路素子Ｔoから無線タグ情報を読み取りながら、これに対応する印字を行って無線タグラベルＴを作成する場合がある。
【０１３８】
この場合には、無線タグ回路素子を備えた基材テープ１０１を備えたカートリッジ１００が装着された場合であっても、図１８におけるステップＳ１１０において印字情報のみを読み込み、ステップＳ１３０で無線タグ情報の読み込み処理を行うようにすればよい（詳細は後述の図２０参照）。その後ステップＳ１４１では印字情報とその読み込んだ無線タグ情報との組み合わせを保存する。
【０１３９】
図２０は、上記無線タグ読み取り処理の詳細手順を表すフローチャートである。
【０１４０】
この図２０において、ステップＳ２０１では、情報読み取り対象とする無線タグ回路素子Ｔoに記憶された情報を読み出す「Scroll
All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１４１】
次に、ステップＳ２０２において、上記「Scroll All ID」信号に対応して読み取り対象の無線タグ回路素子Ｔoから送信されたリプライ信号（少なくとも無線タグ回路素子Ｔoの識別情報を含む無線タグ情報）をアンテナ１４を介して受信し、高周波回路２１及び信号処理回路２２を介し取り込む。
【０１４２】
次に、ステップＳ２０３において、上記ステップＳ２０２で受信したリプライ信号に誤りがないか否かを公知の誤り検出符号（ＣＲＣ符号；Cyclic Redundancy Check等）を用いて判定する。
【０１４３】
判定が満たされない場合はステップＳ２０４に移ってＮに１を加え、さらにステップＳ２０５においてＮ＝５かどうかが判定される。Ｎ≦４の場合は判定が満たされずステップＳ２０１に戻り同様の手順を繰り返す。Ｎ＝５の場合はステップＳ２０６に移り、エラー表示信号を入出力インターフェイス３１及び通信回線３を介し上記端末５又は汎用コンピュータ６へ出力し、対応する読み取り失敗（エラー）表示を行わせた後、ステップＳ２０７でフラグＦ＝１としてこのルーチンを終了する。このように、情報読み取りが不調でも５回までは再試行が行われることにより、読み取り信頼性の確保上、万全を期すことができる。
【０１４４】
一方、ステップＳ２０３の判定が満たされた場合、読み取り対象とする無線タグ回路素子Ｔoからの無線タグ情報の読み取りが完了し、このルーチンを終了する。
【０１４５】
以上において、端末５のＣＰＵ５ｃが実行する図１７のフローのステップＳ３０６が、各請求項記載の、テープ設置用ホルダを用いて設置される被印字テープに貼り合されるテープのテープ属性パラメータ情報を取得するパラメータ情報取得手段を構成する。
【０１４６】
また、図１１、図１２、図１３、図１４等に示すテンプレート２００，３００，２１０，３１０等が、パラメータ情報取得手段で取得したテープ属性パラメータ情報に応じ、印字手段の印字内容に関して複数組設定された設定因子群に相当し、図１７のステップＳ３１３が、印字手段の印字内容に関して複数組設定された設定因子群の中から、対応する少なくとも１組の設定因子群を表示手段に表示させるための因子群表示制御信号を出力する因子群表示制御信号出力手段を構成する。
【０１４７】
また、図１２、図１４、図１５等を用いて説明したベーステンプレート３００．３１０等が、パラメータ情報取得手段で取得したテープ属性パラメータ情報に対応する設定因子群の表示手段での表示を実現させるために、予め記憶手段に格納保持された基本設定因子群に相当し、図１５に示す各設定項目とそれぞれに対応する設定値又は設定態様がその設定因子に相当し、図１７に示すフローのステップＳ３１２が、被印字テープ又はこれに貼り合されるテープにタグテープが用いられる場合の設定因子群を合成する置換合成手段を構成する。
【０１４８】
また、信号処理回路２２及び高周波回路２１の送信部３２が、無線タグ回路素子のＩＣ回路部へのアクセス情報を生成し、装置側アンテナを介して非接触で無線タグ回路素子に送信し、ＩＣ回路部へのアクセスを行う情報アクセス手段を構成する。
【０１４９】
以上説明したように、本実施形態のタグラベル作成装置２においては、カートリッジホルダ部にカートリッジ１００又は１００′が設置されると、それぞれに備えられる基材テープ１０１又は１０１′のテープ属性パラメータ情報（タグ有無情報、タグ属性パラメータ）がセンサ２０で検出されて制御回路３０へ入力される。そして、端末５では、当該テープ属性パラメータ情報に応じて、最適な（良好な印字態様を典型的に実現できる）テンプレート２００，３００，２１０，３１０等が表示される。すなわち、多種多様なニーズに応じて操作者がどのようなカートリッジをカートリッジホルダ部に設置したとしても、それに応じてそのカートリッジに対して最適なテンプレートを自動的に関連付けてディスプレイ５ａに表示されるので、面倒な設定操作を行うことなく、容易にタグラベル作成装置２の印字ヘッド１０で最適な印字を行って所望のラベルＴ，Ｔ′を作成することができ、利便性を向上することができる。
【０１５０】
このとき、本実施形態では特に、無線タグ回路素子Ｔoを備えた基材テープ１０１を備えたカートリッジホルダ部にカートリッジ１００が設置されるか、無線タグ回路素子Ｔoを備えない通常の基材テープ１０１′を備えたカートリッジ１００′が設置されるかによって、異なるテンプレート２００，２１０等又はテンプレート３００，３１０等をディスプレイ３ａに表示させる。すなわち、ニーズに応じて操作者がカートリッジ１００を設置した場合でもタグのないカートリッジ１００′を設置した場合でも、それぞれに応じて最適なテンプレート２００，２１０等又は３００，３１０等を自動的に関連付けてディスプレイ３ａに表示できるので、面倒な設定操作を行うことなく、容易に無線タグラベルＴ又はタグのない通常のラベルＴ′を同一のラベル作成装置２で切り替えて作成することができ、さらに利便性を向上できる効果がある。
【０１５１】
また、前述したように、ＩＣ回路部１５１及びアンテナ１５２の通信感度、ＩＣ回路部１５１のメモリ容量、通信に用いる通信プロトコル、電波送信出力、周波数、通信可能距離等を被検出部１９０に記録するようにした場合には、例えば、テープ１０１，１０１′に備えられる無線タグ回路素子Ｔoの通信距離の長短、通信プロトコルの種類、ＩＣ回路部１５１のメモリ容量等に応じて、大きな字でしか印字できないテンプレートとしたり、小さな字でも印字できるテンプレート等とすることも可能である。また大きな字でしか印字できないテンプレートとした場合にはある大きさで印字し、印字し切れなかった分は無線タグ回路素子Ｔoに記憶させる等とすることも可能となる。
【０１５２】
また、上記テンプレート２００，２１０等又はテンプレート３００，３１０等を切り替えてディスプレイ３ａに表示するにあたり、本実施形態では特に、以下の効果もある。すなわち、カートリッジ種類（言い換えれば基材テープの種類）に応じた最適なテンプレートをディスプレイに表示するにあたり、各テンプレートごとにすべての設定因子をデータとして端末５に備えられた記憶装置５Ｅのデータベースに記憶すると、記憶装置５Ｅに必要となる記憶容量が膨大となる。そこで、本実施形態では特に、無線タグ回路素子Ｔoを備えない通常の基材テープ１０１′を備えたカートリッジ１００′装着時に対応したベーステンプレート３００，３１０等を予め記憶装置５Ｅに格納保持するとともに、無線タグ回路素子Ｔoを備えた基材テープ１０１を備えたカートリッジ１００装着時に対応したテンプレート２００，２１０等をディスプレイ５ａに表示させる場合については、置換テンプレート合成部５Ｂで、上記ベーステンプレート３００，３１０等に含まれる少なくとも１つの設定因子を置き換えることで上記テンプレート２００，２１０等の表示を実現する。これにより、テンプレート２００，２１０等の表示のために必要なデータ量を低減することができるので、結果として記憶装置５Ｄにおいて必要な記憶容量を大幅に低減することができる。
【０１５３】
なお、上記実施形態は、上記以外にも、その趣旨と技術思想の範囲を逸脱しない範囲でさらに種々の変形が可能である。以下、そのような変形例を順次説明する。
【０１５４】
（１）タグ配置間隔に応じてテンプレートを変える場合
上記においては、基材テープ１０１上に無線タグ回路素子Ｔoを１２０ｍｍ間隔で配置したカートリッジ１００が装着された場合に対応し、切断余白をテープ長手方向両端１０ｍｍずつ設定してテープの長さは１００ｍｍの固定長としたテンプレート２００，３００を例にとって説明した（図１１、図１３、図１５参照）が、これに限られない。すなわち、他の寸法、例えば基材テープ１０１上に無線タグ回路素子Ｔoが１００ｍｍ間隔で配置されたカートリッジ１００を装着して用いる場合には、図１１に対応する図２１に示すような、切断余白をテープ長手方向両端１０ｍｍずつ設定しテープの長さを８０ｍｍの固定長としたテンプレート２３０を用いればよい。これら以外の他の寸法についても同様に、対応するテンプレートを予め設けておいて用いるようにすればよい。また、前述の図１７のステップＳ３０６で取得した属性パラメータ情報にこのようなタグ配置間隔情報が含まれている場合には、これに応じてステップＳ３１０において記憶装置５ＥのデータベースのベーステンプレートファイルＦ１の中から対応したテンプレートを検索抽出して用いるようにしてもよい。またステップＳ３１２についても同様に、タグ配置間隔情報に応じて、記憶装置５Ｅのデータベースの置換テンプレートファイルＦ２の中から対応したテンプレートを検索抽出して用いるようにすればよい。
【０１５５】
本変形例によれば、ニーズに応じて操作者が種々様々な無線タグ回路素子間隔Ｔoの基材テープ１０１を設置した場合でも、それぞれに応じて最適なテンプレートを自動的に関連付けて表示することができる。この結果、面倒な設定操作を行うことなく、各種無線タグ回路素子間隔の基材テープ１０１を基に、容易に長さの違うタグラベルＴを同一のタグラベル作成装置で切り替えて作成することができ、さらに利便性を向上できる効果がある。
【０１５６】
（２）複数のテンプレートによる印字イメージを一覧表示する場合
図２２は、この変形例における端末５のＣＰＵ５ｃが実行する制御手順を表すフローチャートであり、前述の図１７に対応する図である。図１７と同等の手順には同一の符号を表し、説明を省略する。
【０１５７】
図２２において、本変形例では、前述のステップＳ３１４に代えて新たにステップＳ３１４′が設けられる。このステップＳ３１４′では、上記印字データ作成部５Ｃで、ステップＳ３１４と同様、上記ステップＳ３１０又はステップＳ３１２でＲＡＭに記憶保持させたテンプレートを読み出し、このテンプレートのうち置き換え可能な領域にステップＳ３０４で抽出選択した社員に係わるデータを挿入して、印字データを作成する。そしてさらに、上記ステップＳ３１０又はステップＳ３１２でＲＡＭに記憶保持させたテンプレートとは別の、例えば当該テンプレートの別候補として予め関係づけられて設定記憶された（少なくとも１つの）所定のテンプレートについても、上記同様に置き換え可能な領域にステップＳ３０４で抽出選択した同一のデータを挿入し、印字データを作成する。
【０１５８】
その後、前述のステップＳ３１６に代えて新たに設けたステップＳ３１６′に移り、印字データ作成部５Ｃで、上記ステップＳ３１４′で作成した複数の印字データにそれぞれ対応する表示制御信号をディスプレイ５ａに出力し、当該印字データにより実際にタグラベルＴ又はラベルＴ′が作成されたときの複数のイメージ表示を比較一覧可能にして行わせる。
【０１５９】
図２３はこのときのディスプレイ５ａの表示の一例を表す図である。この例では、無線タグ回路素子Ｔoを備えた基材テープ１０１を有するカートリッジ１００が装着された状態で、これに対応したテンプレート２００，３００等によって印字イメージが作成され、図示右側の「タグありイメージ」として表示されている。その下部には「このままこのテンプレートで印刷します」というチェックボックスが設けられている。一方このとき別テンプレート候補として、無線タグ回路素子Ｔoを備えない基材テープ１０１′を有するカートリッジ１００′が装着された場合に相当するテンプレート２１０，３１０等によって別の印字イメージが作成され、図示左側の「タグなしイメージ」として表示されている。その下部には「このテンプレートに変えて印刷します」というチェックボックスが設けられている。
【０１６０】
図２２に戻り、ステップＳ３１６′が終了するとステップＳ３１９に移り、現在表示しているテンプレートを用いて印字して良い旨の操作入力が操作手段５ｂを介して操作者よりあったかどうかを判定する。操作者が、例えば、図示右側の「タグありイメージ」の下部の「このままこのテンプレートで印刷します」というチェックボックスをチェックして、さらに「よろしいですか？」表示に対応して「Ｙｅｓ」入力を行うと、このステップＳ３１９の判定が満たされ、前述と同様のステップＳ３１８に移り、印字データ作成部５Ｃで、上記ステップＳ３１４′で作成され上記ステップＳ３１６′でイメージ表示された印字データと、上記ステップＳ３０４で選択された上記物品データを、通信回線３を介しタグラベル作成装置２の制御回路３０へ出力（送信）し、このフローを終了する。
【０１６１】
一方、操作者が、参考として表示された印字イメージの方がよいと（思い直して）判断し、例えば、図２３における図示左側の「タグなしイメージ」の下部の「このテンプレートに変えて印刷します」というチェックボックスをチェックして、さらに「よろしいですか？」表示に対応して「Ｙｅｓ」入力を行うと、このステップＳ３１９の判定が満たされず、新たに設けたステップＳ３２０に移る。
【０１６２】
ステップＳ３２０では、通信回線３を介しタグラベル作成装置２に制御回路３０にアクセスし、センサ２０の検出信号に基づき、カートリッジが上記「このテンプレートに変えて印刷します」のテンプレートに対応するカートリッジ（前述の例では無線タグ回路素子Ｔoのない通常の基材テープ１０１′を備えたカートリッジ１００′）に交換されたかどうかを判定する。交換されるまでは次のステップＳ３２０の判定が満たされず、ステップＳ３２１に移り、所定の報知制御信号を例えばディスプレイ５ａに出力し、図２４に示すように、最終的に操作者の意志で選択したテンプレートと現在カートリッジホルダ部に装着されているカートリッジとが合致していない旨の所定の警報表示を行う。なお、視覚的報知である表示に限らず、音声的報知等を行うようにしても良い。
【０１６３】
カートリッジが交換され表示テンプレートと合致するようになったことがセンサ２０によって検出されたら、ステップＳ３２０の判定が満たされ、前述のステップＳ３１８に移る。
【０１６４】
以上において、図２２のステップＳ３１６′が、各請求項記載の、印字データに基づき作成される複数のラベルの複数の印字イメージを、互いに比較可能に前記表示手段に表示させるためのイメージ表示制御信号を出力するイメージ表示制御信号出力手段を出力するイメージ表示制御信号出力手段を構成する。
【０１６５】
また、ステップＳ３１８が、上記イメージ表示制御信号に基づく表示手段の表示に対応して、対応しない印字イメージによる印字を選択する選択操作手段（端末５の操作手段５ｂ）の操作に基づく信号が入力された場合、当該信号に対応した印字を印字手段で行うための印字制御信号を出力する印字制御信号出力手段を構成する。
【０１６６】
さらに、ステップＳ３２１が、表示手段の表示に対応して、対応しない印字イメージによる印字を選択する選択操作手段の操作に基づく信号が入力された場合、これに対応する報知を行う報知手段（ディスプレイ５ａ）より操作者に行うための報知制御信号を出力する報知制御信号出力手段を構成する。
【０１６７】
以上のように構成した本変形例によれば、図２３に示すようなディスプレイ５ａにおける複数のテンプレートに基づくイメージの一覧表示によって、操作者は、ラベルＴ，Ｔ′を実際に作成する前に、互いに異なるテンプレートを適用した場合の印字イメージを比較し、ラベルの出来栄えを目で見て確認することができる。
【０１６８】
特に、カートリッジホルダ部に設置したカートリッジに対応したテンプレートによる印字イメージを確認できるだけでなく、その参考としてそれとは別の上記設置カートリッジとは対応しないテンプレートによる印字イメージも目で見て比較することができ、さらに、その参考として表示されたテンプレート（別テンプレート候補）を改めて選択してこれに基づく印字を行うこともできるので、これによっても利便性をさらに向上することができる。
【０１６９】
また、上記のように別テンプレート候補を改めて選択したとき、（カートリッジを交換するまでは）そのテンプレートと現在のカートリッジがそのままでは対応しておらず交換すべきである旨を、図２４に示すようにして確実に操作者側に認識させることができる。
【０１７０】
（３）テンプレートを編集可能とする場合
すなわち、以上においては、テンプレート２００，２１０，２３０，３００，３１０等がディスプレイ３ａ上に表示されても、各テンプレート自体の設定因子、例えば図１５に示した基材テープ１０１，１０１′の幅、ラベルＴ，Ｔ′の（長手方向）長さ、（切断時の）左右余白のサイズ、印字文字Ｒ，Ｒ′のフォントやフォントスタイル、テキストの縦方向（ラベル幅方向）及び横方向（ラベル長手方向）における整列方向、文字数の（制限）制御、テキストの塗りつぶし、全体の背景、無線タグラベルマークＲoの有無等の設定値又は設定態様は、各テンプレートごとに固定であったが、これに限られない。
【０１７１】
すなわち、例えば端末５の操作手段５ｂを適宜操作することで、上記テンプレートの設定値・設定態様固定の通常モードから、設定値・設定態様を変更する編集モードに切り替わり、この編集モードにおいて操作手段５ｂ（編集操作手段）の操作でそれら数値や態様等を操作者が変更可能としても良い。そして、ＣＰＵ５ｃはその変更された内容に対応した表示制御信号をディスプレイ５ａに出力し、当該表示を行わせる。
【０１７２】
これにより、操作者は、カートリッジホルダ部に設置したカートリッジ１００,１００′に対応して自動的に表示されたテンプレート２００，３００等をディスプレイ５ａ上で確認した後、操作手段５ｂによりそのテンプレートに含まれる少なくとも１つの設定因子を所望の態様に変更することができるので、これによっても利便性をさらに向上することができる。
【０１７３】
またこのとき、上記のような編集モードにおける編集を完全に操作者の自由に可能とせず、所定の制限を加えるようにしても良い。すなわち、上記操作手段５ａによって操作者が上記編集操作を行おうとする段階で、センサ２０で検出され制御回路３０で取得されたカートリッジ情報に基づき、当該カートリッジが無線タグ回路素子Ｔoを備えた基材テープ１０１入りのカートリッジ１００等であるかどうか、あるいはその他のテープ属性パラメータ情報に対応し、編集操作において操作者が設定可能な数値の範囲を制限してディスプレイ５ａに表示する（例えばカートリッジ１００に対応したテンプレート２００であれば、「左右余白サイズ」は０〜１０ｍｍの範囲でのみ編集可能とする等）か、あるいは、選択肢として予め限定したもののみを表示する（例えばカートリッジ１００に対応したテンプレート２００であれば、「テキスト整列横方向」は中央揃えと左揃えのみ選択編集可能とする等）。
【０１７４】
このように制限を設けることにより、自動的に表示されたテンプレートに含まれる設定因子を操作者が所望の態様に変更する際に、もともとカートリッジホルダ部に設置されたカートリッジに対応する形で、その変更が許容される範囲を（無理のない範囲で）制限して表示することができる。
【０１７５】
（４）表示手段や操作手段をタグラベル作成装置側に設ける場合
すなわち、以上において説明した端末５のディスプレイ５ａの表示手段としての機能や操作手段５ｂの機能（選択操作手段としての機能を含む）を、タグラベル作成装置２の上記表示部５３や上記操作部５２でそれぞれ代用しても良い。この場合、例えば上記においてＣＰＵ５ｃからディスプレイ５ａに向けて出力していた各種表示制御信号等は、上記通信回線３を介しタグラベル作成装置２の入出力インターフェイス３１及び制御回路３０より上記表示部５３へ入力されて、対応する表示が行われる。また、上記において操作手段５ｂからＣＰＵ５ｃに入力されていた各種操作信号等は、タグラベル作成装置２の上記操作部５２から制御回路３０及び入出力インターフェイス３１を介し、通信回線３によって端末５のＣＰＵ５ｃに入力され、対応する処理や制御等が行われる。なおこの場合、タグラベル作成装置２側の操作部５２は、この表示手段に表示された前記少なくとも１組の設定因子群に対応した、印字手段による印字に関する指示データ（印字ヘッド１０で印字するテキストデータ）を入力するデータ入力手段をも構成している。
【０１７６】
本変形例によっても、上記実施形態と同様の効果を得る。
【０１７７】
（５）局所的なネットワークを用いる場合
以上は、タグラベル作成装置２、端末５等が通信回線３を介して（広域の）ネットワークに組み込まれた場合を例にとって説明したが、これに限られない。すなわち、例えば図２５に示すように、タグラベル作成装置２と端末５が（その他の外部回線とは接続しない）局所的なネットワーク（いわゆるＬＡＮ等）によって接続され、これらによって無線タグ生成システム１′を形成しても良い。
【０１７８】
本変形例によっても、上記実施形態や（１）〜（４）の変形例と同様の効果を得ることができる。
【０１７９】
（６）タグラル作成装置単体がすべての機能を備える場合
すなわち、上記（４）の変形例のような操作手段（選択操作手段、編集操作手段を含む）や表示手段（報知手段も含む）の機能のみならず、上記実施形態の端末５の機能をすべてタグラベル作成装置２側に設ける（いわゆるスタンドアローンタイプとする）場合である。この場合、端末５のＣＰＵ５ｃで実行する図１７や図２２等に示した制御手順と同等の制御手順を、タグラベル作成装置２の制御回路３０が実行することとなる。
【０１８０】
この構成では、タグラベル作成装置２自体がそのまま請求項１等に記載のタグラベル編集装置を構成する。また、データベースを構成する記憶装置５Ｅと同等の記憶装置がタグラベル作成装置２に設けられ、同等の機能を果たすこととなる。
【０１８１】
また、センサ２０と制御回路３０の実行する上記図１７のステップＳ３０６が上記パラメータ情報取得手段を構成し、また制御回路３０の実行する上記図１７のステップＳ３１３が上記因子群表示制御信号出力手段を構成し、制御回路３０の実行する上記図１７のステップＳ３１２が、上記置換制御信号出力手段を構成し、制御回路３０の実行する上記図２２のステップＳ３１６′が、上記イメージ表示制御信号出力手段を構成し、制御回路３０の実行する上記図２２のステップＳ３１８が、上記印字制御信号出力手段を構成し、制御回路３０の実行する上記図２２のステップＳ３２１が、上記報知制御信号出力手段を構成する。また、タグラベル作成装置２の操作部５２は、上記データ入力手段をも構成している。
【０１８２】
本変形例によっても、上記実施形態や（１）〜（５）の変形例と同様の効果を得ることができる。
【０１８３】
（７）その他
（７−Ａ）テープの貼りあわせを行わない場合
すなわち、上記のように、無線タグ回路素子Ｔoを備えた基材テープ１０１又は通常の基材テープ１０１′とは別のカバーフィルム１０３に印字を行ってこれらを貼り合わせるのではなく、タグテープに備えられたカバーフィルムに印字を行うタグラベル作成装置に本発明を適用してもよい。この場合、当該テープとして感熱テープを用いることができる（感熱テープに無線タグ回路素子Ｔoを設置して基材テープ１０１相当のテープとする）。この場合、感熱テープが各請求項記載の被印字テープを構成するとともに、タグテープをも構成することとなる。
【０１８４】
本変形例によっても、上記実施形態や各変形例と同様の効果を得る。
【０１８５】
（７−Ｂ）テープ属性パラメータ情報取得の他の態様
以上においては、カートリッジの被検出部１９０より上記テープ属性パラメータ情報を検出し取得したが、これに限られない。すなわち、カートリッジ１００，１００′の本体にカートリッジ識別用無線タグ回路素子を設け、無線タグ情報通信装置２の装置本体８に新たに設けたアンテナによって上記カートリッジ識別用無線タグ回路素子のＩＣ回路部に記憶したテープ属性パラメータ情報を読み込む（あるいは当該無線タグ回路素子の識別情報をもとに適宜のサーバのデータベースにアクセスしてテープ属性パラメータ情報を取得する）構成としてもよい。
【０１８６】
この場合、メカニカルスイッチや光学センサ等からなるセンサ２０を用いるよりも多くのパラメータデータを確実に取得でき、かつそのための操作者の手間が不要となるので、利便性が向上する。なお、上記無線通信のためのアンテナはアンテナ１４と共通に構成してもよいし、もしくは独立したアンテナとして構成してもよい。
【０１８７】
（７−Ｃ）テープの他の形態
また、以上において、基材テープや感熱テープがリール部材の周りに巻回されてロールを構成し、カートリッジ１００，１００′内にそのロールが配置されてテープが繰り出される場合を例にとって説明したが、これに限られない。例えば、長尺平紙状あるいは短冊状のテープやシート（ロールに巻回されたテープを繰り出した後に適宜の長さに切断して形成したものを含む。また基材テープ１０１に相当するものには無線タグ回路素子Ｔoが配置される）を、所定の収納部にスタックしてカートリッジ化し、このカートリッジをタグラベル作成装置２側のカートリッジホルダ部に装着して、上記収納部から移送、搬送して印字及び書き込みを行いラベルＴ，Ｔ′を作成するようにしてもよい。
【０１８８】
さらにはカートリッジ方式にも限られず、上記ロールを直接タグラベル作成装置２側に装着する構成や、長尺平紙状あるいは短冊状のテープやシートをタグラベル装置２外より１枚ずつ所定のフィーダ機構によって移送しタグラベル装置２内へ供給する構成も考えられる。これらの場合も、接触式、光学式、無線通信式等、何らかの公知の手法でそのテープ（シートを含む）の上記テープ属性パラメータ情報を装置側で取得するようにすることで、上記実施形態や各変形例と同様の効果を得ることができる。
【０１８９】
（７−Ｄ）名札作成以外の用途
なお、以上は名札作成を例にとり、この名札作成用のアプリケーションが予め端末５に格納保持されており、このアプリケーションが起動されて各テンプレートを展開した状態を前提として説明したが、これに限られない。すなわち、固定資産管理用、オフィス文書管理用、汎用等、その他種々の用途に対してタグラベル作成装置２でラベルＴ，Ｔ′を作成するときにも本発明は適用でき、これらの場合、各用途に応じた適宜のアプリケーションが起動され、このアプリケーション上で各テンプレートが展開するようにすればよい。
【０１９０】
また、既に述べた以外にも、上記実施形態や各変形例による手法を適宜組み合わせて利用しても良い。
【０１９１】
なお、以上で用いた「Scroll All ID」信号、「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１９２】
その他、一々例示はしないが、本発明は、その趣旨を逸脱しない範囲内において、種々の変更が加えられて実施されるものである。
【図面の簡単な説明】
【０１９３】
【図１】本発明のタグラベル作成装置の一実施形態が適用される無線タグ生成システムを表すシステム構成図である。
【図２】本発明のタグラベル作成装置の一実施形態の詳細構造を表す概念的構成図である。
【図３】カートリッジの詳細構造を説明するための説明図である。
【図４】別のカートリッジの詳細構造を説明するための説明図である。
【図５】高周波回路の詳細機能を表す機能ブロック図である。
【図６】無線タグ回路素子の機能的構成を表す機能ブロック図である。
【図７】無線タグラベルの外観の一例を表す上面図及び下面図である。
【図８】図７中VIII−VIII′断面による横断面図である。
【図９】無線タグ回路素子を備えないラベルの外観の一例を表す上面図及び下面図である。
【図１０】図９中Ｘ−Ｘ′断面による横断面図である。
【図１１】無線タグ回路素子を含む基材テープを備えたカートリッジがカートリッジホルダ部に装着されたときにディスプレイ上に表示される、印字用のテンプレートの一例を表す図である。
【図１２】無線タグ回路素子を含まない基材テープを備えたカートリッジがカートリッジホルダ部に装着されたときにディスプレイ上に表示される、印字用のテンプレートの一例を表す図である。
【図１３】無線タグ回路素子を含む基材テープを備えたカートリッジがカートリッジホルダ部に装着されたときにディスプレイ上に表示される、印字用のテンプレートの他の例を表す図である。
【図１４】無線タグ回路素子を含まない基材テープを備えたカートリッジがカートリッジホルダ部に装着されたときにディスプレイ上に表示される、印字用のテンプレートの他の例を表す図である。
【図１５】端末のディスプレイに表示されるテンプレートにおける印字に係わる各種設定項目及びそれぞれの設定値・設定態様の一例を一覧して示す説明図である。
【図１６】端末のＣＰＵの機能を表す機能ブロック図である。
【図１７】端末のＣＰＵが実行する制御手順を表すフローチャートである。
【図１８】タグラベル作成装置の制御回路で実行される制御手順を表すフローチャートである。
【図１９】図１８に示したステップＳ１３０の詳細手順を表すフローチャートである。
【図２０】無線タグ回路素子から無線タグ情報を読み取りながらこれに対応する印字を行って無線タグラベルを作成する場合における、無線タグ読み取り処理の詳細手順を表すフローチャートである。
【図２１】テープ長さを異なる固定長としたテンプレートの例を表す図である。
【図２２】複数のテンプレートによる印字イメージを一覧表示する変形例における端末のＣＰＵが実行する制御手順を表すフローチャートである。
【図２３】ディスプレイの比較一覧表示の一例を表す図である。
【図２４】ディスプレイの警報表示の一例を表す図である。
【図２５】タグラベル作成装置と端末とを局所的なネットワークによって接続した変形例を表す図である。
【符号の説明】
【０１９４】
２        タグラベル作成装置
５        端末（操作端末、タグラベル編集装置）
５ａ      ディスプレイ（表示手段、報知手段）
５ｂ      操作手段（選択操作手段）
１０      印字ヘッド（印字手段）
１４      アンテナ（装置側アンテナ）
２０      センサ（パラメータ情報検出手段、識別子検出手段、カートリッジ
種別検出手段）
２１      高周波回路
２２      信号処理回路（情報アクセス手段）
３０      制御回路
３２      送信部（情報アクセス手段）
１００    カートリッジ
１００′  カートリッジ
１０１    基材テープ（タグテープ、被印字テープに貼り合わされるテープ）
１０１′  基材テープ（被印字テープに貼り合わされるテープ）
１０３    カバーフィルム（被印字テープ）
１５１    ＩＣ回路部
１５２    アンテナ（タグ側アンテナ）
Ｔ        無線タグラベル
Ｔ′      ラベル
Ｔo       無線タグ回路素子
【図１】
0004586985.tif 000002
【図２】
0004586985.tif 000003
【図３】
0004586985.tif 000004
【図４】
0004586985.tif 000005
【図５】
0004586985.tif 000006
【図６】
0004586985.tif 000007
【図７】
0004586985.tif 000008
【図８】
0004586985.tif 000009
【図９】
0004586985.tif 000010
【図１０】
0004586985.tif 000011
【図１１】
0004586985.tif 000012
【図１２】
0004586985.tif 000013
【図１３】
0004586985.tif 000014
【図１４】
0004586985.tif 000015
【図１５】
0004586985.tif 000016
【図１６】
0004586985.tif 000017
【図１７】
0004586985.tif 000018
【図１８】
0004586985.tif 000019
【図１９】
0004586985.tif 000020
【図２０】
0004586985.tif 000021
【図２１】
0004586985.tif 000022
【図２２】
0004586985.tif 000023
【図２３】
0004586985.tif 000024
【図２４】
0004586985.tif 000025
【図２５】
0004586985.tif 000026